(57)【要約】      （修正有）【課題】給湯機により混合水の温度調節ができる、コスト安な使用勝手の良い湯水混合水栓を提供すること。【解決手段】弁座ケース３は、第１のスプリング１３と、この第１のスプリング１３の付勢力によってスライドガイド手段を常時押圧するシャフト１４、このシャフト１４と共に軸芯方向に変位し、湯導入孔７，８とによって形成される給湯側通路のすき間ｈおよび水導入孔９とによって形成される給水側通路のすき間ｃを調整しうる温調バルブ１５とを内部に有し、軸芯方向に沿って前記固定ハウジング２内を直線的に案内されるスクリュ棒受け部材２２と、このスクリュ棒受け部材２２およびプレート部材２０間に介装され、給水側通路のすき間ｃが開かれるときに切替ユニット側に移動されるスクリュ棒受け部材２２によって縮みながらプレート部材２０を切替ユニット側に第１のスプリングの付勢力１３に抗して移動させうる第２のスプリング２３とで構成されている。【選択図】図１
2005098640.tif 000002
【特許請求の範囲】
【請求項１】
水栓本体の左端開口を介して水栓本体の内部に装入される温調ユニットと、水栓本体の右端開口を介して水栓本体の内部に装入される切替ユニットとを備え、前記温調ユニットを前記切替ユニットの筒状切替弁ケースの左端部に接続するよう構成される湯水混合水栓において、前記温調ユニットは、前記左端開口に固定される筒状の固定ハウジングと、この固定ハウジングの右端側に設けられ、一つの湯導入孔および複数個の水導入孔を胴に有する略筒状の弁座ケースと、前記固定ハウジングの左端側に設けられる温調ハンドルとを備え、前記弁座ケースは、右端部が前記切替弁ケースの前記左端部に接続されており、前記固定ハウジングには、温調ハンドルを水栓本体の軸芯まわりに回動させることによって水栓本体の軸芯方向に沿って直線的に進退移動できるよう構成されたスライドガイド手段が収容されており、また、前記弁座ケースは、第１のスプリングと、この第１のスプリングの付勢力によって前記スライドガイド手段を常時押圧するシャフトと、このシャフトと共に前記軸芯方向に変位し、それによって、前記湯導入孔とによって形成される給湯側通路のすき間および前記水導入孔とによって形成される給水側通路のすき間を調整しうる温調バルブとを内部に有し、更に、前記スライドガイド手段は、シャフト先端で押圧されながら前記軸芯方向に沿って前記固定ハウジング内を直線的に案内されるプレート部材と、温調ハンドルの栓棒に接続されたスクリュ棒と、このスクリュ棒が噛合する溝を温調ハンドル側に向けた状態で有し、前記軸芯方向に沿って前記固定ハウジング内を直線的に案内されるスクリュ棒受け部材と、このスクリュ棒受け部材および前記プレート部材間に介装され、給水側通路の前記すき間が開かれるときに切替ユニット側に移動される前記スクリュ棒受け部材によって縮みながら前記プレート部材を切替ユニット側に前記第１のスプリングの付勢力に抗して移動させうる第２のスプリングとで構成されていることを特徴とする湯水混合水栓。
【発明の詳細な説明】
【技術分野】
【０００１】
この発明は、湯水混合水栓に関するものである。
【背景技術】
【０００２】
自動温度調節機能を有する水栓として、本出願人は、図４〜図７に示すように、水栓本体８０の一端に水、湯、または混合水の吐出・止水機能と流量調整機能を有する切替ハンドル８１を設けるとともに、水栓本体８０の他端に混合水の温度調節機能を有する温調ハンドル８２を設けたサーモ型湯水混合水栓Ｓを提案している（特願２００２−３２８２０８号明細書・図面参照）。水栓本体８０の右端開口８０ａおよび左端の開口８０ｂを介して水栓本体８０の内部に水栓本体８０の軸芯Ｘと同軸になるよう切替ユニット８３および温調ユニット８４がそれぞれ装入されている。温調ユニット８４の切替ユニット側に位置する筒状のサーモ本体８５の端部８５ａは、Ｏリング８６を介して切替ユニット８４の温調ユニット側に位置する切替弁ケース８７の端部８７ａ内に着脱可能に嵌込まれている。前記サーモ本体８５は、一つの湯導入孔Ａおよび複数個の水導入孔Ｂを胴に有し、内部にサーモエレメント９０を有する。このサーモエレメント９０はサーモワックス８８を内蔵し、更に、サーモワックス８８が膨張したときに伸び、また、サーモワックス８８が収縮したときに縮むピストン８９を有する。また、サーモ本体８５には、サーモバルブ９１が内蔵されている。このサーモバルブ９１は、温調ハンドル８２によって予め設定してある混合水の温度とは異なる混合水の温度を前記サーモエレメント９０が感温するとサーモワックス８８が膨張または収縮して前記ピストン８９が伸びまたは縮むことで、水栓本体８０の軸芯Ｘ方向に前記サーモエレメント９０と共に変位するもので、前記湯導入孔Ａとによって形成される給湯側通路のすき間２００および前記水導入孔Ｂとによって形成される給水側通路のすき間２０１を調整する。サーモバルブ９１は、例えば筒状のサーモバルブ本体９１と、このサーモバルブ本体９１ａりも小径の筒状の部材９１ｂとの二部材より構成されている。９３は、温調ハンドル８２およびサーモ本体８５間に設けた筒状の固定ハウジングで、水栓本体８０と同軸で横置き状態で設けられている。固定ハウジング９３は、内周面の上下位置にガイド溝（図示せず）を有する。  
【０００３】
９４は、温調ハンドル８２を水栓本体８０の軸芯Ｘまわりに回動させることによって水栓本体８０の軸芯Ｘ方向に沿って直線的に進退移動できるよう構成されたスライドガイド体で、ピストン８９を介して前記サーモバルブ９１の設定位置を可変に調整し、これにより温調ハンドル８２によって設定される混合水の温度（４０℃）になるよう前記給湯側通路のすき間２００および給水側通路のすき間２０１が調整される。前記スライドガイド体９４は、前記固定ハウジング９３内に設けられている。前記スライドガイド体９４は、図７に示すように、サーモ本体側に向いた凹所９５ａを有し、前記ガイド溝によって水栓本体８０の軸芯Ｘ方向に沿って直線的に案内されるプレート部材９５と、スクリュ棒９６が噛合する、連続歯が形成された溝９７ｂを温調ハンドル側に向けた状態で有し、前記ガイド溝によって水栓本体８０の軸芯Ｘ方向に沿って直線的に案内されるスクリュ棒受け部材９７と、両部材９５，９７間に介装されるバネ９８と、このバネ９８を介して両部材９５，９７を結合する結合線材９９とを備えている。プレート部材９５の前記凹所９５ａの底面には、バネ１００の付勢力によってピストン先端８９ａが常時当接している。そして、温調ハンドル８２の栓棒８２ａの回動運動により、スライドガイド体９４は、前記固定ハウジング９３内を軸芯Ｘ方向に沿って直線的に進退移動する。
【発明の開示】
【発明が解決しようとする課題】
【０００４】
しかし、各家庭において給湯機が普及しており、前記湯導入孔Ａに導入される湯の温度を給湯機で調整ができるので、上述した自動温度調節機能は必要なくなるとともに、それまで前記湯導入孔Ａに導入される湯の温度が例えば４５℃のときに温調ハンドル８２を４０℃に設定した場合、吐水管やシャワから３９℃前後の混合水が吐出するが、給湯機で湯温を４５℃よりも下げると、温調ハンドル８２の４０℃設定位置では対応できなくなる。また、サーモエレメント９０は高価である。
【０００５】
また、ツーバルブの湯水混合水栓では、給湯機の有無にかかわらず湯用ハンドルと水用ハンドルを操作して３９℃前後の混合水を、両ハンドルを一度操作するだけで吐出させるのは難しく、使用勝手が悪い。
【０００６】
この発明は、上述の事柄に留意してなされたもので、その目的は、給湯機により混合水の温度調節ができる、コスト安な使用勝手の良い湯水混合水栓を提供することである。
【課題を解決するための手段】
【０００７】
上記目的を達成するために、この発明の湯水混合水栓は、水栓本体の左端開口を介して水栓本体の内部に装入される温調ユニットと、水栓本体の右端開口を介して水栓本体の内部に装入される切替ユニットとを備え、前記温調ユニットを前記切替ユニットの筒状切替弁ケースの左端部に接続するよう構成される湯水混合水栓において、前記温調ユニットは、前記左端開口に固定される筒状の固定ハウジングと、この固定ハウジングの右端側に設けられ、一つの湯導入孔および複数個の水導入孔を胴に有する略筒状の弁座ケースと、前記固定ハウジングの左端側に設けられる温調ハンドルとを備え、前記弁座ケースは、右端部が前記切替弁ケースの前記左端部に接続されており、前記固定ハウジングには、温調ハンドルを水栓本体の軸芯まわりに回動させることによって水栓本体の軸芯方向に沿って直線的に進退移動できるよう構成されたスライドガイド手段が収容されており、また、前記弁座ケースは、第１のスプリングと、この第１のスプリングの付勢力によって前記スライドガイド手段を常時押圧するシャフト、このシャフトと共に前記軸芯方向に変位し、それによって、前記湯導入孔とによって形成される給湯側通路のすき間および前記水導入孔とによって形成される給水側通路のすき間を調整しうる温調バルブとを内部に有し、更に、前記スライドガイド手段は、シャフト先端で押圧されながら前記軸芯方向に沿って前記固定ハウジング内を直線的に案内されるプレート部材と、温調ハンドルの栓棒に接続されたスクリュ棒と、このスクリュ棒が噛合する溝を温調ハンドル側に向けた状態で有し、前記軸芯方向に沿って前記固定ハウジング内を直線的に案内されるスクリュ棒受け部材と、このスクリュ棒受け部材および前記プレート部材間に介装され、給水側通路の前記すき間が開かれるときに切替ユニット側に移動される前記スクリュ棒受け部材によって縮みながら前記プレート部材を切替ユニット側に前記第１のスプリングの付勢力に抗して移動させうる第２のスプリングとで構成されていることを特徴とする。
【発明の効果】
【０００８】
この発明では、水栓本体の左端開口を介して水栓本体の内部に装入される温調ユニットを、スライドガイド手段が収容された固定ハウジングと、この固定ハウジングの右端側に設けられ、一つの湯導入孔および複数個の水導入孔を胴に有する弁座ケースと、前記固定ハウジングの左端側に設けられる温調ハンドルとで構成し、温調ハンドルを水栓本体の軸芯まわりに回動させることによって水栓本体の軸芯方向に沿って前記スライドガイド手段を直線的に進退移動できるようにし、また、前記弁座ケースの内部に、第１のスプリングと、この第１のスプリングの付勢力によって前記スライドガイド手段を常時押圧するシャフトと、温調バルブとを設け、シャフトと共に温調バルブが前記軸芯方向に変位して、前記湯導入孔とによって形成される給湯側通路のすき間および前記水導入孔とによって形成される給水側通路のすき間を調整できるようにしたので、混合水の最適な吐出温度が給湯機で設定される湯温に応じて予め温調ハンドルの回動操作位置を決めておけば、温調ハンドルの一度の回動操作だけで所望の温度の混合水を得ることができる。
すなわち、この発明では、自動温度調節機能を有するサーモ型湯水混合水栓に備わっている、サーモバルブと共に変位する高価なサーモエレメントに代えて、前記サーモバルブに相当する機能だけを持つ温調バルブを用いるので安価であるとともに、前記温調ハンドルの手動操作だけで温調バルブを作動して給湯側通路のすき間および給水側通路のすき間を調整できるので、給湯機による温度調節ができてツーバルブの湯水混合水栓で温度調節する場合に比して使用勝手がよい。
【発明を実施するための最良の形態】
【０００９】
以下、この発明の実施形態を、図を参照しながら説明する。なお、それによってこの発明は限定されるものではない。
【００１０】
図１〜図３は、この発明の一実施形態を示す。また、従来例と異なる点は温調ユニットだけであるので、図４をも参照しながら説明する。
図１〜図３、図４において、湯水混合水栓は、温調ユニット１と切替ユニット８３（図４参照）とを備え、前記温調ユニット１が前記切替ユニット８３の筒状切替弁ケース８７の左端部８７ａに接続するよう構成されている。温調ユニット１は、水栓本体８０の左端開口８０ｂを介して水栓本体８０の内部に水栓本体８０の軸芯Ｘと同軸になるよう装入される。切替ユニット８３は、水栓本体８０の右端開口８０ａを介して水栓本体８０の内部に前記軸芯Ｘと同軸になるよう装入される。
【００１１】
以下、この発明の特徴的構成について説明する。
【００１２】
前記温調ユニット１は、前記左端開口８０ｂに固定される筒状の固定ハウジング２と、この固定ハウジング２の右端側に設けられる略筒状の弁座ケース３と、前記固定ハウジング２の左端側に設けられる温調ハンドル８２（図４参照）とを主として備えている。前記弁座ケース３は、外ケース部３ａと、外ケース部３ａ内にＯリング４，５，６を介して嵌込まれている内ケース部３ｂより構成されている。７は、外ケース部３ａの胴に形成された一つの湯導入孔部分、８は、湯導入孔部分７に連通するよう内ケース部３ｂの胴に形成された一つの湯導入孔部分で、これら湯導入孔部分７，８で一つの湯導入孔が形成される。この湯導入孔は上流の湯配管（図示せず）を介して最上流の給湯機（図示せず）に連通している。９は、外ケース部３ａの胴に形成された水導入孔部分で、複数個形成されている。１０は、各水導入孔部分９にそれぞれ連通するよう内ケース部３ｂの胴に形成された水導入孔部分であり、水導入孔部分９と水導入孔部分１０で水導入孔が形成される。
なお、弁座ケース３は、右端部が切替弁ケース８７の前記左端部８７ａに接続されており、弁座ケース３の左端部は水栓本体８０の左端部に接続されている。すなわち、弁座ケース３は、水栓本体８０の左端部と切替弁ケース８７の左端部８７ａにわたり内嵌される。前記外ケース部３ａは外周溝に、Ｏリング１１を有し、また、内ケース部３ｂは右端部に設けた外周溝にＯリング１２を有し、Ｏリング１１は、水栓本体８０の内周面および外ケース部３ａの外周面間をシールし、Ｏリング１２は、切替弁ケース８７の左端部８７ａの内周面および内ケース部３ｂの右端部の外周面間をシールする機能を有する。
【００１３】
また、前記固定ハウジング２には、温調ハンドル８２を水栓本体８０の軸芯Ｘまわりに回動させることによって水栓本体８０の軸芯方向に沿って直線的に進退移動できるよう構成されたスライドガイド手段が収容されており、また、前記弁座ケース３は、第１のスプリング１３と、この第１のスプリング１３の付勢力によって前記スライドガイド手段を常時押圧するシャフト１４と、このシャフト１４と共に前記軸芯方向に変位し、それによって、前記湯導入孔７，８とによって形成される給湯側通路Ｈのすき間ｈおよび前記水導入孔９，１０とによって形成される給水側通路Ｃのすき間ｃを調整しうる一つの温調バルブ１５とを内部に有する。
【００１４】
前記スライドガイド手段は、シャフト１４の先端１４ａで押圧されながら前記軸芯方向に沿って前記固定ハウジング２内を直線的に案内されるプレート部材２０と、温調ハンドル８２の栓棒８２ａに接続されたスクリュ棒２１と、このスクリュ棒２１が噛合する溝（図示せず）を温調ハンドル側に向けた状態で有し、前記軸芯方向に沿って前記固定ハウジング２内を直線的に案内されるスクリュ棒受け部材２２と、このスクリュ棒受け部材２２および前記プレート部材２０間に介装され、給水側通路Ｃの前記すき間ｃが開かれるときに切替ユニット側に移動される前記スクリュ棒受け部材２２によって縮みながら前記プレート部材２０を切替ユニット側に前記第１のスプリング１３の付勢力に抗して移動させうる第２のスプリング２３とで構成されている。
【００１５】
而して、前記給湯機で設定される湯温に応じて最適な吐出温度の混合水が吐水管やシャワから吐出するよう予め温調ハンドル８２の回動操作位置を決めておくだけで、後は、前記回動操作位置に温調ハンドル８２を操作することにより最適な吐出温度の混合水が、ツーバルブの湯水混合水栓の場合のように湯用ハンドルと水用ハンドルを再調整しなくても、一回の温調ハンドル操作で吐水管やシャワから吐出させることができる。
【図面の簡単な説明】
【００１６】
【図１】この発明の一実施形態を示す構成説明図である。
【図２】上記実施形態で用いた温調ユニットを示す上面図である。
【図３】上記実施形態で用いた温調ユニットを示す斜視図である。
【図４】先願発明を示す全体構成説明図である。
【図５】上記先願発明における自動温度調節動作を示す図である。
【図６】上記先願発明における要部を示す分解斜視図である。
【図７】上記先願発明で用いた温調ユニットを示す構成説明図である。
【符号の説明】
【００１７】
１      温調ユニット
２      固定ハウジング
３      弁座ケース
１３    第１のスプリング  
１４    シャフト
２０    プレート部材
２１    スクリュ棒
２２    スクリュ棒受け部材
２３    第２のスプリング
８２    温調ハンドル
ｈ      給湯側通路のすき間
ｃ      給水側通路のすき間
【図１】
2005098640.tif 000003
【図２】
2005098640.tif 000004
【図３】
2005098640.tif 000005
【図４】
2005098640.tif 000006
【図５】
2005098640.tif 000007
【図６】
2005098640.tif 000008
【図７】
2005098640.tif 000009